(57)【特許請求の範囲】
【請求項１】
消費装置及び記憶装置を更に有するように設定されたデジタルネットワークにおける取得ポイントであって、該取得ポイントは、プロセッサであって、
前記デジタルネットワークにおいて保護されたコンテンツを放送し、
前記取得ポイントの識別子と、前記保護されたコンテンツにアクセスするために必要な鍵と、コンテンツがレンダリングのための特定の制限を受けることを表す識別子とを有する少なくとも１つのコンテンツライセンスを前記記憶装置に送信し、
前記記憶装置から前記消費装置により受信されるコンテンツにアクセスする要求を前記消費装置から受信し、
前記取得ポイントが前記コンテンツをもはや受信しない場合に応答が第１種類であり、前記取得ポイントが尚も前記コンテンツを受信している場合に応答が第２種類であるように、前記消費装置に対する応答を送信する
プロセッサを有することを特徴とする取得ポイント。
【請求項２】
前記第１種類の応答は新しいコンテンツライセンスである、請求項１に記載の取得ポイント。
【請求項３】
前記第２種類の応答は前記コンテンツへのアクセスの許可及び前記コンテンツへのアクセスを許可しない拒否のうち１つである、請求項１に記載の取得ポイント。
【請求項４】
前記コンテンツへのアクセスの許可が送信された複数の消費装置の複数の識別子を記憶するように設定されたメモリを更に有し、当該取得ポイントが尚も前記コンテンツを受信している場合に、前記コンテンツへのアクセスの許可が送信された装置の数が所定数より少ない場合に前記コンテンツへのアクセスの許可を送信するように前記プロセッサは更に設定されている、請求項３に記載の取得ポイント。
【請求項５】
許可が送信された消費装置の数が所定数に等しい場合に、前記プロセッサは、
前記コンテンツにアクセスする消費装置全てに応答を要求するメッセージを放送し、
複数の消費装置から複数の応答を受信し、
前記応答のオリジネータが前記コンテンツにアクセスすることを示す、受信された応答の数が所定数より小さい場合に、要求している前記消費装置に対して前記コンテンツへのアクセスの許可を送信する、
請求項４に記載の取得ポイント。
【請求項６】
前記取得ポイントが尚も前記コンテンツを受信している場合、要求している前記消費装置と共に近接試験を実行し、前記消費装置がローカルな場合に許可を送信するステップを更に有する、請求項３に記載の取得ポイント。
【請求項７】
デジタルネットワークにおける消費装置であって、
コンテンツをレンダリングする又はコンテンツを持ち出すユニット、並びに
プロセッサであって、
前記デジタルネットワークにおいて記憶装置にコンテンツについての要求を送信し、
前記コンテンツと、前記コンテンツが前記コンテンツの消費のための特定の制限を受ける表示及び取得ポイントの識別子を有する対応するコンテンツライセンスと、を前記記憶装置から受信し、
前記記憶装置から受信された前記コンテンツにアクセスする要求を前記取得ポイントに送信し、
前記取得ポイントからの応答が、消費が可能であることを示す場合に、前記コンテンツを消費する、
ように設定された、プロセッサ、
を有する消費装置。
【請求項８】
取得ポイント、消費装置及び記憶装置を有するデジタルネットワークにおいてコンテンツにアクセスする方法であって、前記取得ポイントにおいて、
前記デジタルネットワークにおいて保護されたコンテンツを放送するステップ、
前記取得ポイントの識別子、前記保護されたコンテンツにアクセスするために必要な鍵、及びコンテンツが前記コンテンツの消費のための特定の制限を受けることを表す識別子、を有する少なくとも１つのコンテンツライセンスを前記記憶装置に送信するステップ、
前記記憶装置から受信された前記コンテンツにアクセスするための要求を前記消費装置から受信するステップ、並びに
前記取得ポイントが前記コンテンツをもはや受信しない場合に応答が第１種類であり、前記取得ポイントが尚も前記コンテンツを受信している場合に応答が第２種類であるように、前記消費装置に対する応答を送信するステップ、
を有することを特徴とする方法。
【請求項９】
前記第１種類の応答は新しいコンテンツライセンスである、請求項８に記載の方法。
【請求項１０】
前記第２種類の応答は前記コンテンツへのアクセスの許可及び前記コンテンツへのアクセスを許可しない拒否のうち１つである、請求項８に記載の方法。
【請求項１１】
前記取得ポイントは、許可が送信された複数の消費装置の複数の識別子を更に記憶し、当該方法は、前記取得ポイントが尚も前記コンテンツを受信している場合、前記コンテンツへのアクセスの許可が送信された消費装置の数が所定数より小さい場合に前記コンテンツへのアクセスの許可を送信するステップを更に有する、請求項１０に記載の方法。
【請求項１２】
前記コンテンツへのアクセスの許可が送信された消費装置の数が所定数に等しい場合に、
前記コンテンツにアクセスする消費装置全てに応答を要求するメッセージを放送するステップ、
複数の消費装置から複数の応答を受信するステップ、
前記応答のオリジネータが前記コンテンツにアクセスすることを示す、受信された応答数が所定数より小さい場合に、要求している前記消費装置に対して前記コンテンツへのアクセスの許可を送信するステップ、
を有する、請求項１１に記載の方法。
【請求項１３】
前記取得ポイントが尚も前記コンテンツを受信している場合に、要求している前記消費装置と共に近接試験を実行し、前記消費装置がローカルな場合に、前記コンテンツへのアクセスの許可を送信するステップ、
を更に有する、請求項１０に記載の方法。
【請求項１４】
デジタルネットワークにおける消費装置において、コンテンツを消費する方法であって、
前記デジタルネットワークにおいて記憶装置に対してコンテンツについての要求を送信するステップ、
前記コンテンツと、前記コンテンツが前記コンテンツの消費のための特定の制限を受ける表示及び取得ポイントの識別子を有する対応するコンテンツライセンスと、を前記記憶装置から受信するステップ、
前記記憶装置から受信された前記コンテンツにアクセスするための要求を前記取得ポイントに送信するステップ、並びに
前記取得ポイントからの応答が、消費が可能であることを示す場合に、前記コンテンツを消費するステップ、
を有する、方法。
【発明の詳細な説明】
【技術分野】
【０００１】
本発明は、一般に、デジタルメディアシステムに関し、特に、デジタルホームネットワークにおけるコンテンツ保護に関する。
【背景技術】
【０００２】
この節では、以下で詳述する及び同時提出の特許請求の範囲に記載している本発明の種々の特徴に関連する、当該技術分野における種々の特徴について読者に紹介する。この説明は、本発明の種々の特徴についての十分な理解を容易にする背景の情報を読者に提供する役割を果たすと考えられる。従って、それらの説明は、この観点から読まれるべきものであり、従来技術の是認としてのものではない。
【０００３】
デジタルメディアシステムにおいては、ライブコンテンツと記録されているコンテンツとを区別できることはときどき、有用である。これについての例示としての理由は、例えば、ＤＶＢ（Ｄｉｇｉｔａｌ  Ｖｉｄｅｏ  Ｂｒｏａｄｃａｓｔ  Ｃｏｐｙ  Ｐｒｏｔｅｃｔｉｏｎ）  Ｇｒｏｕｐにより規定された要件において、近接制御は永久にコンテンツに適用されないが、特定の所定の条件に適合するときに緩和されることである。第１有効条件は、コンテンツがもはやライブでなくなるや否や、近接条件が緩和されることである。第２有効条件は、ライブ放送に続く固定された時間量の後に緩和されることである。第３有効条件は、固定された期日に緩和されることである。しかしながら、第１有効条件及び第３有効条件は、第２有効条件の変形とみなされ、固定された時間量は第１有効条件については０であり、第３有効条件については期日に達する必要な時間はどのような時間であってもよい。他の例示としての条件は条件付きであり、近接制御は、例えば、ユーザがコンテンツにアクセスするために余分に支払う場合に、ユーザが特定のユーザプロファイルを有する場合に、又は特定のコンテンツが放送されるとすぐに、緩和されることが可能である。
【０００４】
他の例は、コンテンツの同時消費数の制限である。ＤＶＢグループにおいては、この制限はライブコンテンツのみについて必要であり、一旦、そのコンテンツがもはやライブでなくなると、緩和される。
【０００５】
ライブコンテンツとホームネットワークにおいて記録されているコンテンツとを区別する一方法においては、受信されているコンテンツが、ホームネットワークに入力する装置である記憶装置からもたらされるコンテンツ、即ち、記録されているコンテンツか、又は、取得ポイントからもたらされるコンテンツ、即ち、ライブコンテンツであるかを判定するレンダリング装置を有するようになっている。
【０００６】
しかしながら、記憶装置が、例えば、短い遅延の後にライブコンテンツを置き換える、所謂、トリックモードが可能であるときに、課題が生じる。この場合、レンダリング装置は、コンテンツが記録されていると信じさせられる一方、実際には、少なくとも取得ポイントがコンテンツを拡散している限り、ライブコンテンツとみなされる必要がある。この場合、トリックモードは、近接制御についての簡単な回避ツールであり、ユーザは、制御を回避するように約５秒の遅延を有するコンテンツをまさに視聴しなければならない。
【０００７】
国際公開第２００６／０８２１３０号パンフレットにおいて、コンテンツがライブであるか否かを調べるように、消費装置がメッセージを放送する“トリックモード”の課題に対する解決方法について開示されている。取得ポイントが答える場合、コンテンツはライブとみなされ、そうでない場合、コンテンツは記録されているものであるとみなされる。その解決方法に対する有効な回避は、先ず、コンテンツの一部（例えば、３０分）を記録し、次いで、第２記録装置における記録を開始し、ネットワークから第１記録装置及び消費装置の接続を切り、コンテンツの第１部分を再生することである。３０分後、第２記録装置の接続を切り、第１記録装置を再接続し、第１記録装置への記録を継続することが可能である。第２記録装置は、その場合、その第１記録装置に記録されているコンテンツを表示するように用いられる。消費装置は、国際公開第２００６／０８２１３０号パンフレットを用いる場合でさえ、取得装置には決して取得ポイントには接続されず、コンテンツは、ライブとしてはもはやみなされない一方、記録装置は、尚も記録する。
【先行技術文献】
【特許文献】
【０００８】
【特許文献１】国際公開第２００６／０８２１３０号パンフレット
【発明の概要】
【発明が解決しようとする課題】
【０００９】
それ故、トリックモードが用いられるとき又はコンテンツが複数の記録装置を用いて記録されるときを含んで、レンダリング装置をライブコンテンツと記録されているコンテンツとを区別するようにする解決方法についての要請が存在していることを理解することができる。
【課題を解決するための手段】
【００１０】
第１特徴において、本発明は、消費装置及び記憶装置を更に有するように適合されたデジタルネットワークにおける取得ポイントを提供する。取得ポイントは、ネットワークにおいて回避コンテンツを放送し、取得ポイントの識別子を有する少なくとも１つのコンテンツライセンスを記憶装置に送信するように設定されたプロセッサと、回避コンテンツにアクセスするのに必要な鍵と、コンテンツがレンダリングのために特定の制限を受け、消費装置に応答を送信することを表す識別子であって、その応答は取得ポイントがもはやコンテンツを受信しない場合に第１種類であり、取得ポイントがコンテンツを尚も受信する場合に第２種類である、識別子と、を有する。
【００１１】
好適な実施形態においては、第１種類の応答は新しいコンテンツライセンスである。
【００１２】
更に好適な実施形態においては、第２種類の応答は、コンテンツへのアクセスの許可及びコンテンツへのアクセスを許可しない拒否の一である。
【００１３】
取得ポイントが、コンテンツへのアクセスの許可が送信される消費装置の識別子を記憶するように設定されたメモリを有し、コンテンツにアクセスする許可が送信される装置数が所定数より小さい場合にコンテンツへのアクセスの許可を送信するように更に設定されることは有利である。プロセッサが、許可が送信される消費装置数が所定数に等しい場合に、応答するようにコンテンツにアクセスする全ての消費装置を必要とするメッセージを放送し、消費装置からの応答を受信し、応答のオリジネータがコンテンツにアクセスすることを示す受信された応答の数が所定数より小さい場合に、要求消費装置へのコンテンツのアクセスの許可を送信するように更に設定されることは有利である。
【００１４】
第２特徴においては、本発明は、デジタルネットワークにおける消費装置を提供する。消費装置は、コンテンツをレンダリングする又はコンテンツを持ち出すユニットと、デジタルネットワークにおける記憶装置にコンテンツについての要求を送信し、そのコンテンツ、並びに取得ポイントの識別子及びコンテンツがその消費について特定の制限を受ける指示を有する対応するコンテンツライセンスをその記憶装置から受信し、そのコンテンツにアクセスする要求を取得ポイントに送信し、取得ポイントからの応答が許可される場合にそのコンテンツを消費するように設定されたプロセッサと、を有する。
【００１５】
第３特徴においては、本発明は、取得ポイント、消費装置及び記憶装置を有するデジタルネットワークにおけるコンテンツにアクセスする方法を提供する。取得ポイントは、ネットワークにおいて保護コンテンツを放送し、取得ポイントの識別子と、保護コンテンツにアクセスするために必要な鍵と、コンテンツがそのコンテンツの消費のための特定の制限の影響下に置かれることを表す識別子とを有する少なくとも１つのコンテンツライセンスを記憶装置に送信し、そのコンテンツにアクセスするための要求を消費装置から受信し、消費装置への応答を送信するネットワークであって、その応答は、取得ポイントがもはやコンテンツを受信しない場合には第１種類であり、取得ポイントが尚もコンテンツを受信している場合には第２種類である、ネットワークにおいて保護コンテンツを放送する。
【００１６】
好適な実施形態においては、第１種類の応答は新しいコンテンツライセンスである。更なる好適な実施形態においては、第２種類の応答は、コンテンツにアクセスするための許可及びコンテンツへのアクセスを許可しない拒否の一である。
【００１７】
取得ポイントは、許可が送信される消費装置の識別子を記憶し、その方法は、コンテンツへのアクセスの許可が送信される消費装置の数が所定数より少ない場合に、コンテンツへのアクセスの許可を、取得ポイントが尚もコンテンツを受信している場合に、送信するステップを更に有することは有利である。コンテンツへのアクセスの許可が送信される消費装置の数が所定数に等しい場合に、取得ポイントは、応答するようにコンテンツにアクセスする消費装置全てを必要とするメッセージを放送し、消費装置からの応答を受信し、そして、応答のオリジネータがそのコンテンツにアクセスすることを表す受信される応答数が所定数より少ない場合に、要求装置にコンテンツへのアクセスの許可を送信することは有利である。
【００１８】
更なる好適な実施形態においては、取得ポイントが尚もコンテンツを受信している場合に、その取得ポイントは、要求している消費装置により近接試験を実行し、消費装置がローカルである場合に、コンテンツへのアクセスの許可を送信する。
【００１９】
第４特徴においては、本発明は、デジタルネットワークにおいてコンテンツを消費する方法を提供する。消費装置は、デジタルネットワークにおいて記憶装置へのコンテンツについての要求を送信し、そのコンテンツ、並びにそのコンテンツが消費のための特定の制限を受ける表示及び取得ポイントの識別子を有する対応するコンテンツライセンスを記憶装置から受信し、消費が許可されたことを取得ポイントからの応答が示す場合に、コンテンツを消費する。
【００２０】
本発明の好適な特徴については、以下、添付図を参照して、例示として記載されている。
【図面の簡単な説明】
【００２１】
【図１】本発明が用いられる例示としてのデジタルネットワークを示す図である。
【図２】本発明に従った方法の好適な実施形態の１つのフロー図である。
【図３】本発明に従った方法の更なる好適な実施形態の１つのフロー図である。
【発明を実施するための形態】
【００２２】
図１は、本発明で用いられる、ユーザの家庭で用いるのに有利である例示としてのデジタルネットワーク１００（又は、システムと呼ぶ）を示している。ネットワーク１００は、レンダリング装置（ＲＤ）１１０と、取得ポイント（ＡＰ）１２０（又は、アクセス装置と呼ぶ）と、例えば、イーサネット（登録商標）等の例示としての接続１４０を介して接続された記憶装置（ＳＤ）１３０と、を有する。レンダリング装置１１０、取得ポイント１２０及び記憶装置１３０の各々は、メッセージを送受信するプロセッサ１１１、１２１、１３１を有する。レンダリング装置１１０は、例えば、ディスプレイ等の、コンテンツをレンダリングするユニット１１２を更に有し、記憶装置１３０は、コンテンツを記憶する記憶媒体１３２を更に有する。ネットワーク１００は、プロセッサ１５１を有する持ち出しポイント１５０を更に有し、その持ち出しポイントは、第２接続１５５において他のネットワーク（図示せず）にコンテンツを持ち出すように設定されている。本明細書及び特許請求の範囲においては、用語“消費装置”は、レンダリング装置及び持ち出しポイントのための一般表現として用いられることが可能である。
【００２３】
単純化して、ネットワーク１００は、通常、次のように機能し、取得ポイント１２０は、第３接続１０５においてデジタルコンテンツＣＮＴを受信し、スクランブル鍵を用いてコンテンツをスクランブルすることによりそのコンテンツを保護し、コンテンツについてのスクランブル鍵を有する対応するコンテンツライセンスを生成し、そして、記憶装置１３０、持ち出しポイント１５０及びユーザが利用可能であるレンダリング装置１１０に、ネットワーク１００においてコンテンツを放送する。ネットワーク１００は、複数のレンダリング装置、複数の記録装置及び複数の持ち出し装置を更に有することが可能であるが、それらは、明確化のために図１には示されていない。
【００２４】
コンテンツＣＮＴが視聴される“ライブ”のみであり、即ち、コンテンツは尚も取得ポイント１２０により、例えば、コンテンツプロバイダから受信され、ネットワーク１４０において供給されることが好ましいとき、そのコンテンツに伴うコンテンツライセンスはそれに伴ってマーキングされ、それ故、取得ポイント１２０は、そのようなコンテンツを認識することが可能であり、また、取得ポイントは、取得ポイント１２０により受信されることが可能であるコンテンツ識別子を有し、又は、代替として、取得ポイント１２０により生成されることが可能である。取得ポイント１２０はまた、コンテンツライセンスにそれ自体の同一性をマーキングする。取得ポイント１２０は、何れかの数のレンダリング装置及び記録装置にコンテンツＣＮＴを尚も供給することが可能であるが、そのコンテンツは保護され、対応するコンテンツライセンスは、それらの装置がコンテンツに適切にアクセスするために、例えば、そのコンテンツを再生するために必要である。コンテンツＣＮＴは“ライブ保護される”、即ち、そのレンダリングのために特定の制限を受けることを示すそのようなコンテンツライセンスは、各々の記憶装置に供給される。取得ポイント１２０は、好適には、コンテンツへのアクセスがメモリ１２２に供給される複数の装置のリストを保ち、そのリストは、好適にはまた、コンテンツＣＮＴへのアクセスの許可が装置に与えられたかどうかを、各々の装置について示す。その許可は、有利であることに、必要に応じて、新しいコンテンツライセンスの形式をとる。下で説明するように、レンダリング装置又は持ち出し装置は許可を要求することが可能である。
【００２５】
好適な実施形態においては、コンテンツＣＮＴが“ライブ”である、即ち、取得ポイント１２０によりネットワーク１００において放送されるとき、取得ポイント１２０は、消費装置に与えられる許可数を制限することが可能である。換言すれば、同時視聴数が限定される。そのように与えられる許可は、好適には、コンテンツが“ライブ保護される”ことを示す。許可に関する制限は、そのコンテンツと共に又はそのコンテンツとは別個に、取得ポイント１２０により受信されるが、取得ポイント１２０は、例えば、特定の種類のコンテンツ、特定の時間期間におけるコンテンツの放送、一般的な制限、又は少なくとも２つの値の最小値に同時視聴数を好適に制限する組み合わせのために、予め記憶された制限を有することがまた、可能である。
【００２６】
コンテンツＣＴＮが終了したとき、即ち、対応するコンテンツ識別子を有するコンテンツがもはや、取得ポイント１２０によって受信されないとき、その取得ポイント１２０は、リスト１２２に従って記憶装置がコンテンツＣＮＴを供給される各々の記憶装置に対して“ライブ保護”を実行しないコンテンツライセンスを供給する。各々の記憶装置は、その場合、そのコンテンツを用いる、又は、何れかの更なる許可を要求せずに、そのコンテンツへのアクセスを可能にするレンダリング装置にそのコンテンツを供給することが可能である。
【００２７】
ユーザが、何れかの時間にコンテンツＣＮＴをレンダリングするように又は持ち出すように、レンダリング装置１１０又は持ち出しポイント１５０に命令することが可能であるため、例えば、ユーザが、他のレンダリング装置を介してコンテンツにアクセスする位置を変更する場合、例えば、そのような装置は、取得ポイント１２０からの許可を応答して要求する必要がある。
【００２８】
そのような要求の受信時に、取得ポイント１２０は、複数の異なる方式で反応することが可能である。
【００２９】
コンテンツが終了する、及び／又は“ライブ保護される”場合、取得ポイント１２０は、要求している装置に対して“ライブ保護”を実行しないコンテンツライセンスを供給する。これは、例えば、レンダリング装置１１０が、“トリック再生”を用いずにレンダリング装置１３０からコンテンツＣＮＴ及び対応するライセンスを受信した場合に、現れることが可能である。
【００３０】
コンテンツＣＮＴが尚も、取得ポイント１２０により放送されていて、要求がレンダリング装置からもたらされる場合、その要求は拒否され、エラーが戻される。
【００３１】
コンテンツＣＮＴが尚も、取得ポイント１２０により放送されていて、許可の最大数（記録装置まで数えない）が与えられない場合、取得ポイント１２０は、要求している装置に対して“ライブ保護”を実行する許可を供給し、許可が与えられたことの記述と共にメモリ１２２におけるリストに要求している装置の同一性を付加する。コンテンツＣＮＴがその装置に供給されたことがまた、可能であるが、それに伴ってリストが更新された場合には、その装置に対して許可は与えられなかったことが可能であることに留意する必要がある。
【００３２】
しかしながら、コンテンツＣＮＴが尚も取得ポイント１２０により放送され、許可の最大数（記録装置まで数えない）が与えられた場合、取得ポイント１２０は、好適には、その装置が尚も、メッセージにおいて識別されたコンテンツにアクセスしているか否かを調べて、許可が与えられたリストにおける各々の消費装置にメッセージを送信する。コンテンツをレンダリングするか又は持ち出すかのどちらかの各々の装置においては、応答が正（ｐｏｓｉｔｉｖｅ）である必要がある一方、逆の場合には、そのような義務は存在しないことが好ましいことである。他方、少なくとも１つの装置が応答しない又は負（ｎｅｇａｔｉｖｅ）の応答を返す場合、許可が与えられることが可能である。このために、取得ポイント１２０は、有利であることに、好適にはランダムに、コンテンツＣＮＴを保護するように用いる新しいスクランブル鍵を選ぶ。そのスクランブル鍵は、正の応答を返した装置全てに対して及び要求している装置に対して許可として送信される新しいコンテンツライセンスに含まれる。
【００３３】
好適な実施形態に従って、取得ポイント１２０が尚もコンテンツを受信している場合、取得ポイントは、要求している消費装置と共に近接試験を実行し、レンダリング装置がローカルである場合、即ち、近接しているとみなされる場合にのみ、許可が与えられる。その近接試験は、当該技術分野で適切な何れかの方法を用いて、例えば、メッセージの往復移動時間を用いて実行されることが可能である。
【００３４】
図２は、本発明に従って方法の好適な実施形態の一フロー図である。ステップ２０２において、取得ポイント（ＡＰ）１２０は、コンテンツＣＮＴ及び取得ポイント（ＡＰＩＤ）の識別子を有する対応するコンテンツライセンスＣＬを記憶装置（ＳＤ）１３０に供給する。コンテンツライセンスＣＬは、コンテンツが“ライブ保護される”ことを示している。記憶装置１３０は、受信コンテンツＣＮＴ及びコンテンツライセンスＣＬを記憶する。
【００３５】
レンダリング装置（ＲＤ）１１０は、要求しているレンダリング装置１１０にコンテンツＣＮＴ及び必要なライセンスＣＬ（取得ポイント識別子を有する）を戻すレンダリング装置１３０にコンテンツＣＮＴについての要求を送信する２０４。コンテンツＣＮＴ及びライセンスＣＬの受信時に、レンダリング装置１１０は、コンテンツＣＮＴが“ライブ保護されている”かどうか、それ故、取得ポイント１２０に要求を送信するようにコンテンツライセンスＣＬにおいて取得ポイント識別子ＡＰＩＤを用いるかどうかを調べる。
【００３６】
取得ポイント１２０がどのように応答するか２１０は、上記のように、状況による。例えば、コンテンツがライブであり、最大視聴数に達していない場合、取得ポイント１２０は、レンダリング装置１１０による視聴を許可する。
【００３７】
図３は、本発明に従って方法の更なる好適な実施形態の一フロー図である。ステップ３０２においては、取得ポイント１２０は、第１レンダリング装置１１０にコンテンツＣＮＴと、取得ポイントＩＤ（ＡＰＩＤ）を有する対応するライセンスＣＬとを供給する。
【００３８】
ユーザは、その場合、第１レンダリング装置をオフに切り換え３０４、放送装置、即ち、取得ポイント１２０からコンテンツライセンスＣＬを要求する３０８第２レンダリング装置１６０をオンに切り換える３０６。取得ポイント１２０は、次いで、最大同時視聴数に達した場合、即ち、この実施例においては、その最大同時視聴数は、第１レンダリング装置１１０にコンテンツについてのコンテンツライセンスを送信するとして取得ポイント１２０が挙げられる（例えば、それは１に等しい）場合であることを確認する３１０。
【００３９】
取得ポイント１２０は、続いて、応答するようにコンテンツ（コンテンツ識別子で識別された）を用いる装置全てを要求するメッセージを放送する３１２。第１レンダリング装置１１０はオフに切り換えられているため、その第１レンダリング装置は何ら応答しない。第１レンダリング装置１１０が他のコンテンツにアクセスするように切り換えられている場合、負に応答することが可能であるが、全く応答しないことがまた、可能である。第２レンダリング装置はそのコンテンツに未だにアクセスしていないため、その第２レンダリング装置は、負に応答する３１４か、全く応答しない。
【００４０】
短い間隔が応答する時間を装置に与えるように意図された後、取得ポイント１２０はそれらの応答を解析する。本実施例においては、その取得ポイントは正の応答は受信せず、それ故、コンテンツＣＮＴにアクセスすることが可能である第２レンダリング装置１６０に送信する新しいコンテンツライセンスＣＬ′（そのコンテンツをスクランブルするように用いられる新しいスクランブル鍵を有する）を生成する３１４ことが可能である。取得ポイントはまた、現在のコンテンツライセンスが供給された装置のリストを更新する。
【００４１】
従って、本発明は、例えば、トリック再生を用いることによりアクセスされることから、アクセスのみが必要であるライブコンテンツを保護する方式を本発明が提供することができることを理解することが可能である。
【００４２】
１つの物理的装置が、上記の２つ以上の装置の機能に対応することが可能であることが理解できる。例えば、取得ポイント及び記憶装置が、ある装置に備えられることが可能である。そのような場合、“取得ポイント”は、多機能装置等において取得ポイントの機能を処理する部分のことをいう。一部の場合、簡略化が可能であり、例えば、取得ポイント及び記憶装置の機能の組み合わせが、必要に応じて、２度応答しないで、１つの関連応答のみを与える装置が可能である。
【００４３】
本明細書、特許請求の範囲及び図に開示している各々の特徴について、別個に又は何れかの適切な組み合わせで与えられることが可能である。ハードウェアで実行されるように記載されている特徴はまた、ソフトウェアで実行されることが可能であり、その逆も可能である。無線接続又は有線接続として実施して適用可能である接続は、必ずしも直接接続又は間接接続である必要はない。
【図１】
0005599305.tif 000002
【図２】
0005599305.tif 000003
【図３】
0005599305.tif 000004